(57)【要約】      （修正有）【課題】メーン鍋部とポケット鍋部に入れたそれぞれの食材を同時に別々に加熱調理でき、ポケット鍋部内のお湯などがふきこぼれてもメーン鍋部に混入することがなく、ポケット鍋部に食材が入っていないときにポケット鍋部の鍋底が誤って空焚きの状態になるのを回避できるポケット付き鍋を提供する。【解決手段】ポケット付き鍋１は、間仕切り１１で鍋の内部をメーン鍋部２とポケット鍋部３とに区画し、メーン外周側面２２の上端を間仕切り１１の上端と同じ高さに設け、ポケット外周側面３２の上端をメーン外周側面２２及び間仕切り１１の上端より低い位置に設け、ポケット鍋底３３をメーン鍋底２３より高い位置に設けると共にポケット鍋底３３をメーン鍋底２３の上側に隙間を空けて設け、間仕切り１１の下端をメーン鍋底２３の上側に隙間を空けて設けた。【選択図】図２
0003230143.tif 000002
【実用新案登録請求の範囲】
【請求項１】
鍋の内部を二つに仕切る間仕切りを設け、当該間仕切りで鍋の内部をメーン鍋部とポケット鍋部とに区画し、鍋の側周面の大半を構成するメーン鍋部のメーン外周側面の上端をメーン内周側面を兼ねる上記間仕切りの上端と同じ高さに設け、鍋の側周面の残り部分を構成するポケット鍋部のポケット外周側面の上端を上記メーン外周側面及びポケット内周側面を兼ねる上記間仕切りの上端より低い位置に設け、ポケット鍋部のポケット鍋底をメーン鍋部のメーン鍋底より高い位置に設けると共に上記ポケット鍋底を上記メーン鍋底の上側に上下に隙間を空けて設け、メーン鍋部とポケット鍋部とに区画する上記間仕切りの下端を上記メーン鍋底の上側に上下に隙間を空けて設けたことを特徴とするポケット付き鍋。
【請求項２】
鍋の側周面に外側に向けて把手を、間仕切りと平行になるように延設した請求項１記載のポケット付き鍋。
【考案の詳細な説明】
【技術分野】
【０００１】
この考案は、例えば麺を茹でながら同時にレトルトパウチ食品を温めることができるように、異なる二種類の食材を同時に加熱調理するような場合に使用できるポケット付き鍋に関するものである。
【背景技術】
【０００２】
従来の鍋で例えば麺を茹でるとき、一つの鍋で同時に例えばレトルトパウチ食品を温めるには麺とレトルトパウチを混合して鍋に入れなければならなかった。だが、それでは衛生的に問題があり、気分的にもよいものではない。
これを避けるには、最初にどちらかを温めて別の容器に移し、そのあとに空となった鍋に次の温める食材を入れることが考えられるが、これだとその分手間がかかるし、また、先に温めた方が早めにさめることもある。
これ以外には、二つの鍋を同時に使用して調理することも考えられるが、これだと鍋が二つ必要となり、また、二つの鍋を同時に加熱するためには、二つの加熱炉も必要になし、調理後に二つの異なる鍋を洗う手間も生じるなどの問題がある。
そこで、鍋に間仕切りをして、一つの鍋で二種類以上の食材を別々に調理加熱する鍋が知られている。この間仕切りには、鍋に予め一体化されたものと、鍋に取り付け及び取り外しが自在なものがある。
【先行技術文献】
【特許文献】
【０００３】
【特許文献１】実用新案登録第３２００３３４号
【特許文献２】実用新案登録第３２２５７４７号
【考案の概要】
【考案が解決しようとする課題】
【０００４】
ところで、間仕切りをした鍋を使用する場合、間仕切りを挟んでその両側で別々の食材を加熱調理するときには便利で問題はない。しかし、間仕切りされた鍋の片側に入れたお湯などがふきこぼれて他方側に混入することがあった。また、間仕切りされた鍋の片側だけに食材を入れて加熱調理したとき、食材が入れられていない側の鍋底はいわゆる空焚きの状態になって、鍋底を誤って傷めるということもあった。
【０００５】
この考案は、上記のような課題に鑑み、その課題を解決すべく創案されたものであって、その目的とするところは、メーン鍋部の他に食材を入れて調理加熱できるポケット鍋部を設け、メーン鍋部とポケット鍋部に入れたそれぞれの食材を同時に別々に加熱調理できるのは勿論のこと、ポケット鍋部内のお湯などがふきこぼれてもメーン鍋部に混入することがなく、さらにポケット鍋部に食材が入っていないときにポケット鍋部の鍋底が誤って空焚きの状態になるのを回避できるポケット付き鍋を提供することにある。
【課題を解決するための手段】
【０００６】
以上の課題を達成するために、この考案は、鍋の内部を二つに仕切る間仕切りを設け、当該間仕切りで鍋の内部をメーン鍋部とポケット鍋部とに区画し、鍋の側周面の大半を構成するメーン鍋部のメーン外周側面の上端をメーン内周側面を兼ねる上記間仕切りの上端と同じ高さに設け、鍋の側周面の残り部分を構成するポケット鍋部のポケット外周側面の上端を上記メーン外周側面及びポケット内周側面を兼ねる上記間仕切りの上端より低い位置に設け、ポケット鍋部のポケット鍋底をメーン鍋部のメーン鍋底より高い位置に設けると共に上記ポケット鍋底を上記メーン鍋底の上側に上下に隙間を空けて設け、メーン鍋部とポケット鍋部とに区画する上記間仕切りの下端を上記メーン鍋底の上側に上下に隙間を空けて設けた手段よりなるものである。
【考案の効果】
【０００７】
課題を解決するための手段よりなるこの考案に係るポケット付き鍋によれば、メーン鍋部の他に食材を入れて調理加熱できるポケット鍋部を設けることにより、メーン鍋部とポケット鍋部にそれぞれ異なる食材を入れて同時に別々に加熱調理できるのは勿論のこと、ポケット鍋部のポケット外周側面の上端をメーン外周側面及びポケット内周側面を兼ねる上記間仕切りの上端より低い位置に設けることにより、ポケット鍋部で例えばレトルトパウチ食品を温める際にお湯が沸騰して万が一ふきこぼれても、例えば麺を茹でているメーン鍋部側に混入することもない。
さらに、ポケット鍋部のポケット鍋底をメーン鍋部のメーン鍋底の上側に上下に隙間を空けて設けることにより、ポケット鍋底はメーン鍋底の上側に隙間があるので、ポケット鍋底が直にガス加熱ヒーターや電気加熱ヒーターなどの加熱源で加熱されることもなく、ポケット鍋部に食材などが入っていない空の状態でもポケット鍋部のポケット鍋底が誤って空焚きの状態になるのを回避することができる。
このように、この考案に係るポケット付き鍋を使用することで、メーン鍋部で例えば麺を茹でながら、例えば麺のソースとなるレトルトパウチ食品を温めることが同時にできるので光熱費も節約でき、後片付けも一つの鍋で済むため時間の節約にもなる等、極めて実用的有益なる効果を奏するものである。
【図面の簡単な説明】
【０００８】
【図１】この考案を実施するための形態を示すポケット付き鍋の平面図である。
【図２】この考案を実施するための形態を示す図１のＡ−Ａ矢視断面図である。
【図３】この考案を実施するための形態を示すポケット付き鍋の斜視図である。
【考案を実施するための形態】
【０００９】
以下、図面に記載の考案を実施するための形態に基づいて、この考案をより具体的に説明する。
【００１０】
図において、このポケット付き鍋１は、二種類の食材を同時に別々に加熱調理できる鍋で、鍋部分がメーンの食材例えば麺が茹でられるメーン鍋部２と、サブの食材例えば麺のソースとなるレトルトパウチ食品が温められるポケット鍋部３に区画されている。メーン鍋部２とポケット鍋部３とは間仕切り１１によって区画されている。
【００１１】
つまり、間仕切り１１の片面側はメーン鍋部２に臨んでいて、メーン鍋部２の側周面の一部を構成している。また、間仕切り１１の上記片面側の裏面側はポケット鍋部３に臨んでいて、ポケット鍋部３の側周面の一部を構成している。
【００１２】
ポケット付き鍋１は、間仕切り１１によってメーン鍋部２とポケット鍋部３とに区画された鍋部分が平面からみて、例えば円形の形状をしている。また、その円形の鍋部分の外側面の一部にはこの鍋１を持ち上げたり動かしたりする場合に使用される把手４が、側方に向けて延設されて張り出して取り付けられている。
【００１３】
上記間仕切り１１は、円形の鍋部分の内部の中心から例えば図面では中心から右側に偏心した位置に設けられている。加熱調理するメーン食材の容量が一般に多いことを考慮して、メーン食材が入れられるメーン鍋部２の容積に比べて、ポケット鍋部３の容積が小さくなるように構成されている。
【００１４】
間仕切り１１は平面からみて例えば上記把手４とほぼ平行の同じ方向になるように直線状に形成されている。把手４を掴んでガス加熱ヒーター或いは電気加熱ヒーターなどで調理する際、間仕切り１１の左右両側に位置するメーン鍋部２とポケット鍋部３が把手４のほぼ左右側に同じように位置する。
【００１５】
このため、把手４を掴んで調理する場合、間仕切り１１は左右の横方向でなく前後の縦方向となるので、視線の妨げとなることはなく、メーン鍋部２とポケット鍋部３に入っている加熱中の双方の食材の加熱の進捗状況が見え易くなる。また、箸を使ってメーン鍋部２とポケット鍋部３にそれぞれ入っている加熱中の食材を撹拌する場合も、前後側でなく左右側になるので箸も動かし易い。
【００１６】
メーン鍋部２の側周面は、直線状の間仕切り１１の片面側となる垂直平面状のメーン内周側面２１と、鍋の全体側周面の大半を構成する垂直円弧状のメーン外周側面２２から構成されている。そして、メーン内周側面２１の上端はメーン外周側面２２の上端と同じ高さに設けられて形成されている。このため、間仕切り１１の上端はポケット付き鍋１の側周面の上端と同じ高さになっている。
【００１７】
ポケット鍋部３の側周面は、間仕切り１１の上記メーン内周側面２１の裏面側となる垂直平面状のポケット内周側面３１と、鍋の全体側周面の一部を構成する垂直円弧状のポケット外周側面３２から構成されている。つまり間仕切り１１は、メーン内周側面２１とポケット内周側面３１とを兼ねている。このため、メーン鍋部２内の沸騰熱は間仕切り１１を通じてポケット鍋部３に伝わって，ポケット鍋部３の内部を温める。
【００１８】
また、ポケット外周側面３２の上端の高さは、間仕切り１１の上端となるポケット内周側面３１の上端の高さより低い位置に設けられて形成されている。このため、調理加熱中にポケット鍋部３から万が一ふきこぼれる状況になっても、上端の高さが低いポケット外周側面３２から鍋の外側にふきこぼれることになる。つまり、ポケット内周側面３１の上端つまり間仕切り１１の上端から、例えば麺を茹でているメーン鍋部２内にふきこぼれて混入することはない。
【００１９】
メーン鍋部２は、鍋底側を構成するメーン鍋底２３が平面からみて例えば円形に形成されている。またポケット鍋底３３はメーン鍋底２３の上側に上下に隙間を空けて設けられていて、メーン鍋部２の一部はポケット鍋部３の下方側に上下に隙間を空けて入り込んでいる。つまり、ポケット鍋部３のポケット鍋底３３が加熱ヒーターに直に接することはなく、ポケット鍋部３が空の状態にあっても、ポケット鍋底３３が空焚きの状態になって傷めるのを防ぐことができる。
【００２０】
そのため、間仕切り１１の下端は、メーン外周側面２２の下端より高い位置になっていて、メーン鍋底２３とは接してなく、間仕切り１１の下端とメーン鍋底２３とは上下にわずかに隙間を有している。この隙間からメーン鍋部２に入っているお湯などがポケット鍋部３のポケット鍋底３３の下側に入り込むことができるようになっている。
【００２１】
また、上述のように、メーン鍋底２３の一部がポケット鍋部３の下方側に上下に隙間を空けて入り込んでいる関係で、上記ポケット外周側面３２の下端側には、円弧状のメーン下部外周側面２４の上端側が連接して一体になっている。
【００２２】
このメーン下部外周側面２４の高さは例えばメーン外周側面２２の5分の1程度であり、上側のポケット鍋底３３と下側のメーン鍋底２３との上下隙間ほどである。メーン下部外周側面２４は、その円弧状に形成された左右両端側が上記メーン外周側面２２の下部側の左右両端側に連接して一体になっている。
【００２３】
上記メーン鍋底２３の円形の大半の周縁側は、上向きに曲がってメーン鍋部２の側周面の大半を構成するメーン外周側面２２の下端側に連接して一体になっている。ポケット鍋底３３の下側に入り込んでいるメーン鍋底２３の残りの周縁側は、上記メーン下部外周側面２４の下端側に連接して一体になっている。
【００２４】
平面からみて、円の弓形の形状のポケット鍋底３３は、その周縁側の円の弦に相当する直線部分が間仕切り１１の片面側となるポケット内周側面３１の下端側と連接して一体になっている。また、円の弓形の形状のポケット鍋底３３は、その周縁側の円弧に相当する部分がポケット外周側面３２下端側と連接して一体になっている。
【００２５】
次に、上記考案を実施するための形態の構成に基づく作用について以下説明する。
例えばパスタを食べたい場合、このポケット付き鍋１を使ってパスタ麺を茹でながら同時にパスタソースを温めることができる。
【００２６】
すなわち、ポケット付き鍋１のメーン鍋部２とポケット鍋部３にそれぞれ水を入れ、加熱ヒーターにかけてポケット付き鍋１を加熱する。メーン鍋部２はそのメーン鍋底２３が加熱ヒーターの上に直に載っているので、メーン鍋部２の水はメーン鍋底２３からの加熱で沸騰しはじめる。
【００２７】
ポケット鍋部３のポケット鍋底３３は、加熱ヒーターからメーン鍋底２３、上下のポケット鍋底３３とメーン鍋底２３との間の沸騰水によって加熱される。同様に間仕切り１１はメーン鍋部２内の沸騰水によって加熱されて、加熱された間仕切り１１及びポケット鍋底３３によって、ポケット鍋部３の内部の水は温められる。このように、この考案に係るポケット付き鍋１を使用することで、パスタ麺を茹でながら、ソースとなるレトルトパウチ食品も温めることが同時にできるので、光熱費も節約できる。
【００２８】
メーン鍋部２の水が沸騰しはじめたら、所定の量のパスタ麺を沸騰水の中に入れる。また、パスタ麺の茹であがる時間を考慮しながら、ポケット鍋部３のお湯の中にパスタソースになる例えばレトルトパウチ食品を入れる。パスタ麺が食べごろのかたさに茹であがるころに、パスタソースになる例えばレトルトパウチ食品も食べごろに温まる。
【００２９】
茹でたパスタ麺をメーン鍋部２から取り出し、お湯切りして皿のうえに盛り付ける。温まったレトルトパウチ食品をポケット鍋部３から取り出し、封をあけて内部のパスタソースを皿のうえに盛り付けられているパスタ麺のうえに好みの量だけかける。それからパスタを食する。
【００３０】
後片付けは、ポケット付き鍋１がひとつであるので、ポケット付き鍋１を流し場で洗う場合スペースもあまりとらず、洗った後のポケット付き鍋１の水切りのために鍋をねかせる場合もあまり場所をとらず、また洗う時間の節約にもなる。
【００３１】
また、このポケット付き鍋１を使って、ポケット鍋部３で例えばレトルトパウチ食品を温めている最中にお湯が沸騰しても、間仕切り１１の上端はポケット鍋部３のお湯の水面より高いので、万が一ふきこぼれたとしても、間仕切り１１の上端をのりこえて隣のメーン鍋部２側にふきこぼれて麺を茹でてる最中の沸騰水の中に混入することもなく、衛生的でもある。
【００３２】
さらに、このポケット付き鍋１を使っている最中に、ポケット鍋部３に何も入れずに空焚きの状態になっても、ポケット鍋部３のポケット鍋底３３は直に加熱ヒーターに接してなく、ポケット鍋底３３は直に加熱されるメーン鍋底２３との間に上下に隙間を空けて設けられているので、ポケット鍋底３３が誤って空焚きの状態になって傷つくのが回避される。
【００３３】
なお、この考案は上記考案を実施するための形態に限定されるものではなく、この考案の精神を逸脱しない範囲で種々の改変をなし得ることは勿論である。
【符号の説明】
【００３４】
１    ポケット付き鍋
１１    間仕切り
２    メーン鍋部
２１    メーン内周側面
２２    メーン外周側面
２３    メーン鍋底
２４    メーン下部外周側面
３    ポケット鍋部
３１    ポケット内周側面
３２    ポケット外周側面
３３    ポケット鍋底
４    把手
【図１】
0003230143.tif 000003
【図２】
0003230143.tif 000004
【図３】
0003230143.tif 000005